(57)【要約】      （修正有）【課題】小便器周囲の床面や、ズボンの前チャック周辺への尿の飛散を防止できる男性用小便器の尿飛散防止装置を提供する。【解決手段】床置型小便器１０の尿受け部内に、上部が便器外側に位置し、下部が便器内部に位置するように、縦長の飛散防止板１を斜めに配置する。飛散防止板は、取付ベルト２と取付用吸盤３と連結リング４により、小便器に固定する。取付用吸盤は、小便器の上部側面に取り付け、取付ベルトと連結リングで連結する。固定した飛散防止板の上側から小便器に放尿できるようにし、尿の飛散があっても、それを飛散防止板で受けて、床面やズボンを汚さないようにする。【選択図】図１
0003200310.tif 000002
【実用新案登録請求の範囲】
【請求項１】
床置型小便器の尿受け部内に、上部が便器外側に位置し、下部が便器内部に位置するように、縦長の飛散防止板を斜めに配置し、該飛散防止板の上側から床置型小便器の尿受け部に向けて放尿できるようにしたことを特徴とする男性用小便器の尿飛散防止装置。
【請求項２】
前記飛散防止板の下端部を前記床置型小便器の尿受け部底面まで伸ばし、左右両側部分を便器側に湾曲させたことを特徴とする請求項１に記載の男性用小便器の尿飛散防止装置。
【請求項３】
前記飛散防止板の長さを、飛散防止板の下端部と前記床置型小便器の尿受け部底面との間に間隔が開くような長さにして、小さい子供が、前記飛散防止板の下側から用を足せるようにしたことを特徴とする請求項１に記載の男性用小便器の尿飛散防止装置。
【請求項４】
前記飛散防止板の上端部の左右両側に取付ベルト挿通口を設け、該取付ベルト挿通口に取付ベルトを挿通し、該取付ベルトの先端と取付用吸盤を取り付け、該取付用吸盤を床置型小便器に取り付けることにより、前記飛散防止板を固定することを特徴とする請求項１，２又は３に記載の男性用小便器の尿飛散防止装置。
【請求項５】
前記取付用吸盤としてレバー式吸盤を用い、該レバー式吸盤のレバーを軸支するレバー支持部とレバーとを貫通する貫通孔を設け、該貫通孔に、前記取付ベルトの先端に取り付けた連結リングを挿通するようにしたことを特徴とする請求項４に記載の男性用小便器の尿飛散防止装置。
【請求項６】
前記取付ベルトの中間部にティッシュボックスを取り付けたことを特徴とする請求項４又は５に記載の男性用小便器の尿飛散防止装置。
【請求項７】
前記飛散防止板の便器対向面上端部に、複数の洗浄水出口を有する洗浄チューブを水平方向に設け、該洗浄チューブの基端部を、前記床置型小便器の洗浄水吐出部に接続したことを特徴とする請求項１，２，３，４，５又は６に記載の男性用小便器の尿飛散防止装置。
【考案の詳細な説明】
【技術分野】
【０００１】
本考案は、縦長の床置型小便器を使用する際に、尿が床面やズボン等に付着しないようにするための男性用小便器の尿飛散防止装置に関するものである。
【背景技術】
【０００２】
従来の男性用小便器の尿飛散防止装置としては、例えば、特許文献１に示されるように、小便器周囲の床面への尿の飛散を防止するものが提案されている。図１１は、従来の男性用小便器の尿飛散防止装置の一例を示す図である。図１１において、１０は床置型小便器、１１は床汚れ防止具、１１ａは受け皿、１１ｂは保持具、１１ｃは固定部である。
【０００３】
この尿飛散防止装置では、床置型小便器１０の下部突出部に、床汚れ防止具１１を取り付けて、小便器周囲の床面への尿の飛散を防止するようにしている。床汚れ防止具１１は、飛散した尿を受けるための受け皿１１ａを有し、その先端部下面に設けた固定部１１ｃを、床置型小便器１０の下部突出部に載せ、保持具１１ｂで受け皿１１ａを保持するようにしている。
【０００４】
床置型小便器１０に、このような尿飛散防止装置を設ければ、用を足しているときに多少、尿の飛散があっても床面が汚れるのを防止することができる。
【先行技術文献】
【特許文献】
【０００５】
【特許文献１】実用新案登録第３１４３９４９号公報
【考案の概要】
【考案が解決しようとする課題】
【０００６】
しかしながら、上記従来の男性用小便器の尿飛散防止装置では、小便器周囲の床面への尿の飛散を防止するはできても、ズボンの前チャック周辺への飛散は防止できず、ズボンが汚れてしまうという問題点があった。
【０００７】
本考案は、そのような問題点に鑑み、小便器周囲の床面だけでなく、ズボンの前チャック周辺への尿の飛散をも防止できるようにすることを目的とするものである。
【課題を解決するための手段】
【０００８】
前記課題を解決するため、本願の請求項１にかかる考案は、床置型小便器の尿受け部内に、上部が便器外側に位置し、下部が便器内部に位置するように、縦長の飛散防止板を斜めに配置し、該飛散防止板の上側から床置型小便器の尿受け部に向けて放尿できるようにしたことを特徴とする。
【０００９】
また、本願の請求項２にかかる考案は、請求項１にかかる考案において、前記飛散防止板の下端部を前記床置型小便器の尿受け部底面まで伸ばし、左右両側部分を便器側に湾曲させたことを特徴とする。
【００１０】
また、本願の請求項３にかかる考案は、請求項１にかかる考案において、前記飛散防止板の長さを、飛散防止板の下端部と前記床置型小便器の尿受け部底面との間に間隔が開くような長さにして、小さい子供が、前記飛散防止板の下側から用を足せるようにしたことを特徴とする。
【００１１】
また、本願の請求項４にかかる考案は、請求項１，２又は３にかかる考案において、前記飛散防止板の上端部の左右両側に取付ベルト挿通口を設け、該取付ベルト挿通口に取付ベルトを挿通し、該取付ベルトの先端に取付用吸盤を取り付け、該取付用吸盤を床置型小便器に取り付けることにより、前記飛散防止板を固定することを特徴とする。
【００１２】
また、本願の請求項５にかかる考案は、請求項４にかかる考案において、前記取付用吸盤としてレバー式吸盤を用い、該レバー式吸盤のレバーを軸支するレバー支持部とレバーとを貫通する貫通孔を設け、該貫通孔に、前記取付ベルトの先端に取り付けた連結リングを挿通するようにしたことを特徴とする。
【００１３】
また、本願の請求項６にかかる考案は、請求項４又は５にかかる考案において、前記取付ベルトの中間部にティッシュボックスを取り付けたことを特徴とする。
【００１４】
また、本願の請求項７にかかる考案は、請求項１，２，３，４，５又は６にかかる考案において、前記飛散防止板の便器対向面上端部に、複数の洗浄水出口を有する洗浄チューブを水平方向に設け、該洗浄チューブの基端部を、前記床置型小便器の洗浄水吐出部に接続したことを特徴とする。
【考案の効果】
【００１５】
本考案のドア施錠装置は、次のような効果を奏する。
すなわち、請求項１にかかる考案においては、床置型小便器の尿受け部内に、上部が便器外側に位置し、下部が便器内部に位置するように、縦長の飛散防止板を斜めに配置し、該飛散防止板の上側から床置型小便器の尿受け部に向けて放尿できるようにしたので、便器と、用を足している人のズボン及び床面との間に飛散防止板が位置することになり、尿の飛散があっても、飛沫は飛散防止板により受け止められて、用を足している人のズボンや床面を汚すことがなくなる。
【００１６】
また、請求項２にかかる考案においては、請求項１にかかる男性用小便器の尿飛散防止装置において、飛散防止板の下端部を床置型小便器の尿受け部底面まで伸ばし、左右両側部分を便器側に湾曲させたので、尿の飛散があっても、飛沫は飛散防止板により完全に受け止められて、用を足している人のズボンや床面を汚すことがまったくなくなる。
【００１７】
また、請求項３にかかる考案においては、請求項１にかかる男性用小便器の尿飛散防止装置において、飛散防止板の長さを、飛散防止板の下端部と前記床置型小便器の尿受け部底面との間に間隔が開くような長さにして、小さい子供が、前記飛散防止板の下側から用を足せるようにしたので、大人だけでなく、小さな子供でも用が足せるようになる。
【００１８】
また、請求項４にかかる考案においては、請求項１，２又は３にかかる男性用小便器の尿飛散防止装置において、飛散防止板の上端部の左右両側に取付ベルト挿通口を設け、該取付ベルト挿通口に取付ベルトを挿通し、該取付ベルトの先端と取付用吸盤を取り付け、該取付用吸盤を床置型小便器に取り付けることにより、前記飛散防止板を固定するようにしたので、飛散防止板を簡単かつ安定的に固定することができる。
【００１９】
また、請求項５にかかる考案においては、請求項４にかかる男性用小便器の尿飛散防止装置において、取付用吸盤としてレバー式吸盤を用い、該レバー式吸盤のレバーを軸支するレバー支持部とレバーとを貫通する貫通孔を設け、該貫通孔に、前記取付ベルトの先端に取り付けた連結リングを挿通するようにしたので、レバー式吸盤により、強固に固定でき、さらに、連結リングによりレバーの回転をロックすることができる。
【００２０】
また、請求項６にかかる考案においては、請求項４又は５にかかる男性用小便器の尿飛
散防止装置において、取付ベルトの中間部にティッシュボックスを取り付けたので、用を足した後にティッシュを使って陰部を拭き取ることができ、尿切り動作を不要にして、尿の飛散を防止できる。
【００２１】
また、請求項７にかかる考案においては、請求項１，２，３，４，５又は６にかかる男性用小便器の尿飛散防止装置において、飛散防止板の便器対向面上端部に、複数の洗浄水出口を有する洗浄チューブを水平方向に設け、該洗浄チューブの基端部を、前記床置型小便器の洗浄水吐出部に接続したので、用を足した後に便器だけでなく、飛散防止板を洗浄することもできる。
【図面の簡単な説明】
【００２２】
【図１】本考案の第１実施例に係る尿飛散防止装置を装着した男性用小便器を示す図である。
【図２】床置型小便器の一例を示す図である。
【図３】レバー式吸盤にカードリングを取り付けた状態を示す図である。
【図４】第１実施例に係る尿飛散防止装置の飛散防止板を示す図である。
【図５】飛散防止板に取付ベルトを装着した状態を示す図である。
【図６】飛散防止板に取付ベルトと洗浄チューブを装着した状態を示す図である。
【図７】洗浄チューブ固定具を示す図である。
【図８】取付ベルトにティッシュボックスを装着した状態を示す図である。
【図９】本考案の第２実施例に係る尿飛散防止装置を装着した男性用小便器を示す図である。
【図１０】第２実施例に係る尿飛散防止装置の飛散防止板に取付ベルトと洗浄チューブを装着した状態を示す図である。
【図１１】従来の男性用小便器の尿飛散防止装置の一例を示す図である。
【考案を実施するための形態】
【００２３】
以下、本考案の実施例を図面に基づいて詳細に説明する。
【実施例１】
【００２４】
図１は、本考案の第１実施例に係る尿飛散防止装置を装着した男性用小便器を示す図であり、図２は、床置型小便器の一例を示す図である。図１，図２において、符号１０は、図１１のものに対応しており、１は飛散防止板、２は取付ベルト、３は取付用吸盤、４は連結リングである。また、１０ａは床置型小便器１０の尿受け部、１０ｂは洗浄水吐出部、１０ｃは人体検知器である。
【００２５】
本考案では、床置型小便器１０の尿受け部１０ａ内に、上部が便器外側に位置し、下部が便器内部に位置するように、縦長の飛散防止板１を斜めに配置する。飛散防止板１は、取付ベルト２と取付用吸盤３と連結リング４により、床置型小便器１０に固定しているが、取付用吸盤３は、床置型小便器１０の上部側面に取り付け、その取付用吸盤３と取付ベルト２とを連結リング４で連結している。そのようにして固定した飛散防止板１の上側から床置型小便器１０の尿受け部１０ａに向けて放尿できるようにしている。
【００２６】
取付用吸盤３としては、図３に示すようなレバー式吸盤を用いることができる。このレバー式吸盤は、フックを兼ねるレバー３ａを上げた状態で吸盤を設置面に当接し、レバー３ａを下に回動させると吸盤の基端部が持ち上げられて吸盤内の真空度が高くなって、吸盤が強固に張り付くようになっている。取付用吸盤３として、そのようなレバー式吸盤を用いれば、床置型小便器１０に飛散防止板１を確実に固定することができる。
【００２７】
また、連結リング４として、二つの半円形部材を軸４ａで連結した、単語カード等を綴
じるのによく使われるカードリングを用いることができる。そして、レバー式吸盤において、レバー支持部３ｂの、レバー３ａの支軸３ｃから外れた位置に、レバー支持部３ｂとレバー３ａとを貫通する貫通孔３ｄを設け、該貫通孔３ｄに、連結リング３としてのカードリングを挿通するようにすれば、取付ベルト２を取付用吸盤３に連結しながら、レバー３ａがかってに回動しないようにロックすることもできる。
【００２８】
このように床置型小便器１０に飛散防止板１を設けたので、放尿時に尿の一部が周囲に飛散することがあっても、飛散防止板１が設けられているため、飛沫は飛散防止板１により受け止められて、用を足している人のズボンや床面を汚すことがなくなる。
【００２９】
次に、各部について詳細に説明する。飛散防止板１は、例えば、幅３０ｃｍ、高さ５５ｃｍのサイズにして、下端部が床置型小便器１０の尿受け部１０ａの底面に当接するようにし、左右両側部分は、便器側に湾曲させている。図４は、第１実施例に係る尿飛散防止装置の飛散防止板を示す図である。図４において、１ａは、取付ベルト２を通すための取付ベルト挿通口、１ｂは、湾曲させた飛散防止板１の形状を保持するための下端部締結具である。取付ベルト挿通口１ａには、図５に示すようにして取付ベルト２を通すようにしている。なお、飛散防止板１として、湾曲形状を保持できるような材質のものにすれば、下端片締結具１ｂは不要になる。
【００３０】
このように、この実施例における飛散防止板１は、下端部を床置型小便器１０の尿受け部１０ａの底面まで伸ばし、左右両側部分を便器側に湾曲させているので、放尿時に尿の飛散があっても、飛沫は飛散防止板により完全に受け止められて、用を足している人のズボンや床面を汚すことがまったくなくなる。
【００３１】
なお、放尿時に尿の飛散があると、飛沫は飛散防止板１に当たって飛散防止板１が汚れることになる。そこで、図６に示すように、飛散防止板１に洗浄チューブ６を設けて、用を足した後に、飛散防止板１の洗浄を行うようにしてもよい。
【００３２】
洗浄チューブ６は、ビニール管等よりなっていて、複数の洗浄水出口６ａを有しており、飛散防止板１の便器対向面上端部に、水平方向に設けられる。その洗浄チューブ６の基端部は、床置型小便器１０の洗浄水吐出部１０ｂの複数ある吐出孔の一つに差し込んで接続する。その際、洗浄チューブ６が吐出孔から抜けにくくするため、図６の左上に、洗浄チューブ６の基端部断面を示すように、洗浄チューブ６の基端部に凹部６ｂを設ける。また、洗浄チューブ６の先端は、封止栓６ｃにより封止する。
【００３３】
その洗浄チューブ６の飛散防止板１への取付は、図７に示すような洗浄チューブ固定具５を使って行う。図６に示すように、洗浄チューブ固定具５を、飛散防止板１の取付ベルト挿通口１ａに、取付ベルト２の上から、洗浄チューブ挿通孔５ａがある側を先にして差し込み、その洗浄チューブ挿通孔５ａに洗浄チューブ６を通すことにより固定する。その際、洗浄チューブ６の洗浄水出口６ａは、二つの洗浄チューブ固定具５の間に位置するようにする。なお、洗浄チューブ固定具５は、係止部５ｂにより係止されて、取付ベルト挿通口１ａから抜け出ることはない。
【００３４】
このようにすれば、用を足して、人が床置型小便器１０から離れたとき、人体検知器１０ｃがそれを検知して洗浄水吐出部１０ｂから洗浄水が流れる際に、洗浄水の一部が洗浄チューブ６の洗浄水出口６ａから流れ出て、飛散防止板１の表面を洗浄することができる。
【００３５】
また、図８に示すように、取付ベルト２にティッシュボックス７を装着することもできる。ティッシュボックス７の取付は、取付ベルト２にティッシュボックス取付具８を装着
することにより行う。そのようにしてティッシュボックス７を設ければ、用を足した後にティッシュを使って陰部を拭き取ることができ、尿切り動作を不要にして、尿の飛散を防止できる。
【実施例２】
【００３６】
図９は、本考案の第２実施例に係る尿飛散防止装置を装着した男性用小便器を示す図でおり、符号は、図１，図６のものに対応しており、９は補助ベルトである。
【００３７】
この実施例では、飛散防止板１は、例えば、幅３０ｃｍ、高さ３５ｃｍのサイズにして、第１実施例のものより長さを短くし、飛散防止板１の下端部と床置型小便器１０の尿受け部１０ａの底面との間に間隔が開くようにして、小さい子供が、飛散防止板１の下側から用を足せるようにしている。この実施例では、飛散防止板１の下端部が床置型小便器１０の尿受け部１０ａ底面に当接しないため、飛散防止板１の角度を一定に保持する保持具が必要である。そこで、取付ベルト２に加えて補助ベルト９を設け、取付ベルト２と補助ベルト９により飛散防止板１の角度を一定に保持するようにしている。
【００３８】
補助ベルト９は、基端部が取付ベルト２に連結され、取付ベルト２の基端部は、連結リング４を介して取付用吸盤３に取り付けられている。そして、飛散防止板１は自重で下方へ移動しようとするが、取付ベルト２と補助ベルト９が床置型小便器１０の縁に当たって、飛散防止板１を引き止める。そして、取付ベルト２と補助ベルト９の長さを適度に選定することにより、飛散防止板１の高さ位置と傾斜角度が決まる。
【００３９】
図１０は、第２実施例に係る尿飛散防止装置の飛散防止板に取付ベルトと洗浄チューブを装着した状態を示す図である。符号は、図６及び図９のものに対応している。飛散防止板１の取付ベルト挿通口１ａの下側に補助ベルト挿通口１ｃを設け、それに補助ベルト９を通し、補助ベルト９の両端は、取付ベルト２に取り付けていている。また、第１実施例と同様に、洗浄チューブ６は、ビニール管等よりなっていて、複数の洗浄水出口６ａを有しており、飛散防止板１の便器対向面上端部に、水平方向に設けられる。その洗浄チューブ６の基端部は、床置型小便器１０の洗浄水吐出部１０ｂの複数ある吐出孔の一つに差し込んで接続する。
【００４０】
そして、取付ベルト２と補助ベルト９により、飛散防止板１の上部が便器外側に位置し、下部が便器内部に位置するように、飛散防止板１が斜めの角度になるように保持している。このようにすれば、飛散防止板１の下端部と床置型小便器１０の下部との間に空間部ができるため、小さい子供でも、飛散防止板１の下側から用を足せるようになる。
【００４１】
また、大人が使用する際には、飛散防止板１の上側から床置型小便器１０に向けて放尿することにより、放尿時に尿の一部が周囲に飛散することがあっても、飛沫は飛散防止板１により受け止められて、用を足している人のズボンや床面を汚すことがなくなる。
【符号の説明】
【００４２】
１  飛散防止板
１ａ  取付ベルト挿通口
１ｂ  下端部締結具
２  取付ベルト
３  取付用吸盤
３ａ  レバー
３ｂ  レバー支持部
３ｃ  支軸
３ｄ  貫通孔
４  連結リング
５  洗浄チューブ固定具
５ａ  洗浄チューブ挿通孔
５ｂ  係止部
６  洗浄チューブ
６ａ  洗浄水出口
７  ティッシュボックス
８  ティッシュボックス取付具
１０  床置型小便器
【図１】
0003200310.tif 000003
【図２】
0003200310.tif 000004
【図３】
0003200310.tif 000005
【図４】
0003200310.tif 000006
【図５】
0003200310.tif 000007
【図６】
0003200310.tif 000008
【図７】
0003200310.tif 000009
【図８】
0003200310.tif 000010
【図９】
0003200310.tif 000011
【図１０】
0003200310.tif 000012
【図１１】
0003200310.tif 000013